(57)【要約】【課題】架材と地盤との距離の変位に関わりなく架材側の荷重を確実に支持する床束を得る。【解決手段】ピン１１を１１´´の位置に配置することにより架材支持部７を下降位置で固定し、床下の所定位置に床束１を配置し、かつ主軸５を主軸支持部３に対して回動することにより両者の螺合状態を用いて主軸５を上昇させ、架材支持部７の介在片８が家屋の架材に当接した状態でピン１１をピン摺動開口の垂直部に配置することにより固定状態を解除する。以後、地盤沈下等により地盤と架材とが離間しても、架材支持部７は内部コイルばね６の弾発力により常時架材に接触し、架材を支持する。【選択図】　　　　図２
2004100198.tif 000002
【特許請求の範囲】
【請求項１】
家屋等の構造物の架材と地盤との間に配置され架材側の荷重を支持するものにおいて、鉛直方向に配置される主軸と、当該主軸に嵌挿配置されかつ当該主軸の軸心方向に変位可能に構成された架材支持部と、主軸と架材支持部との間に介在配置され、架材支持部を架材側に上昇変位させる弾発力を有する弾性体と、主軸を支持する主軸支持部と、当該主軸支持部を支持する基台部とを有し、主軸は基台部に支持された主軸支持部に螺合し、かつこの螺合により主軸は主軸支持部に対して上昇変位可能に構成され、この主軸の上昇変位により前記架材に当接した架材支持部は、弾性体の弾発力により常時架材に当接して当該架材を支持するよう構成したことを特徴とする床束。
【請求項２】
主軸には雄ねじ部が形成され、かつ主軸支持部には雌ねじ部が形成され、これら雄ねじ部および雌ねじ部の螺合により前記螺合状態を実現することを特徴とする請求項１記載の床束。
【請求項３】
架材支持部にはピンが突設され、主軸には主軸の軸心方向に設けられた垂直開口と、この垂直開口の下端において垂直開口と直交する水平開口を有するピン摺動開口が形成され、当該ピンは水平開口と係合することより架材支持部を主軸に対して下降位置で固定し、かつ当該ピンを垂直開口の下端に移動させることにより固定状態を解除し、架材支持部の上昇変位に対応して垂直開口に沿って上昇するよう構成したことを特徴とする請求項１又は２記載の床束。
【請求項４】
主軸又は架材支持部の少なくとも一方に、架材支持部が主軸に対して予め定められた距離を以て相対的に上昇した時に、警報を発するセンサが設けられていることを特徴とする請求項１乃至３の何れかに記載の床束。
【請求項５】
前記センサは、センサ本体と、ピンに接触して回動する可動ロッドとからなり、ピンの接触による可動ロッドの回動動作により警報を発するよう構成したことを特徴とする請求項４記載の床束。
【発明の詳細な説明】
【０００１】
【発明の属する技術分野】
本発明は家屋等の建造物を支えるために、束石等を介して鉛直方向に配置され、当該建造物の大引等の基礎材を支持する床束に関する。
【０００２】
例えば木造家屋においては、家屋の床部分を支える架材である大引や根太等と土間との間に床束と称する木材や金属材料からなる支持材を配置することにより家屋の床部分を支える構造となっている。
【０００３】
【従来の技術】
床束により床部を支持する構造では、前記架材である大引や根太の反りや歪み等の木材の経時的変化により、或いは土間の沈下等によって架材側が固定された床束と、床束を支持する束石との間に隙間ができ床束が本来の役目を果たさなくなってしまう事態がしばしば生じている。また、このような固定がなされていない床束の場合には床束自体が倒れてしまう事態も生じている。
【０００４】
【発明が解決しようとする課題】
この様な点に鑑み、床束の一部を螺合構造として、例えばナットを回転させることにより全体の支持高さが調整可能に構成された床束も提供されている。しかし実際には床束の長さ調節は、作業者が床下に入り、多数の床束を個々に高さ調節せねばならず、かつ定期的に床下を見回る必要がある等人手がかかり、実際にはあまり効果的な解決とはなっていない。
【０００５】
【課題を解決するための手段】
本発明は上述の問題点に鑑み構成したものであって、床束本体内にコイルバネ等の弾性体を収納し、この弾性体の弾発力を利用して床束を伸縮可能に構成し、常時床束を架材側に圧接するようにした床束である。
【０００６】
即ち本発明は、基台部側に支持される主軸と、この主軸に支持され、かつ建築物の架材に当接してこの架材を直接支持する架材支持部とを有し、この架材支持部と主軸との間にはコイルばね等の弾性体が介在配置され、これにより架材支持部は弾性体の弾発力によって常時架材に当接するよう構成されたこと特徴とする床束である。
【０００７】
なお、特開２００１−５９３３０号にはコイルバネを収納した床束の構成が示されているが、これは螺杆に係止する係止片を斜めに付勢するものであって、架材側の荷重を支持するための弾性体ではなく、床束そのものの高さ調整はやはりボルト・ナットの螺合構造によるものである。即ちこの発明は人手による定期的な床束の高さ調整を行うことを前提とし、かつこの高さ調整作業を容易にすることを目的としている。
【０００８】
【発明の実施の形態】
架材支持部は内部に収納した弾性体（以下実施例も含めて「コイルばね」を例に説明する）の弾発力に抗して、主軸の頂部に最も近接した状態、即ち主軸側に下降した状態で係止手段を用いて当該主軸に予め固定されている。
【０００９】
この状態で、床束を家屋等の構造物の床下の所定の位置に配置する。主軸は支持筒側と螺合しており、所定の位置に配置された床束は、螺合状態を調節することにより支持筒の軸心方向に対して主軸を昇降させ、主軸上端の架材支持部が架材に当接するように高さ調節を行う。
【００１０】
この状態で前記架材支持部固定用の係止手段の係止状態を解除すると、架材支持部はコイルばねの弾発力により架材に対して当接し、以後地盤沈下等で地面と架材との距離が大きくなっても、この弾性体の弾発力により架材支持部は当該架材に当接し、この架材を支持する。
【００１１】
【実施例】
以下、本発明の実施例を図１及び図２（Ａ）及び（Ｂ）を用いて説明する。
まず主として図１において、矢印１で示す床束は以下の部品により構成されている。符号２は基台部であって、コンクリートで固めた地面或いはコンクリートブロック等により構成される束石に載置され床束１全体を介して構造物の架材を支持する部分である。
【００１２】
３は主軸支持部であって、前記基台部２に嵌挿されることによりこの基台部と一体化されるよう構成されている。４は固定リングであって、主軸支持部３の上端縁に対してフランジ３ａが形成されている場合には半分りに形成され、このフランジ３ａが形成されていない場合には一体的なリングとして構成されている。図示の構成では主軸支持部３を基台部２の主軸支持部挿入孔２ａに嵌挿したならば、一対の半割りの固定リングをこの主軸支持部３の両側からそれぞれはめ込み、この状態で基台部２の主軸支持部挿入孔２ａと主軸支持部３との間の環状空間に嵌挿し、主軸支持部３を基台部２に対して固定する。なお主軸支持部３に上記フランジ３ａが形成されていない場合には、主軸支持部３を基台部２に嵌挿した後、一体型の固定リング４を主軸支持部３の上端から挿入して前記部分に嵌挿する。
【００１３】
次に符号５は主軸、６は弾性体としてのコイルばね、７は架材支持部であり、８はこの架材支持部７の頂部に取り付けられることにより架材と架材支持部７との間に介在配置される介在片であって、例えば木材等からなり、金属材から構成される架材支持部７との圧接状態により架材側に架材支持部材７がめり込んだりして架材を傷付けるのを防止する働きをする。またこの介在片８の面積を架材支持部７の頂部面積よりも大きく設定することにより架材側の圧力の分散を図るよう構成することも可能である。
【００１４】
主軸５の下半部には雄ねじ部５ａが形成され、かつ上部には架材支持部７が挿入される挿入孔５ｂが形成されている。またこの挿入孔５ｂの側壁部には側面形状が略Ｌ字型のピン摺動開口５ｃ〔図２（Ａ）参照〕が形成されている。このような構成の主軸５の雄ねじ部５ａに対してナット９及び１０が螺着され、これらのナット９、１０が螺着された状態で当該雄ねじ部５ａを前記主軸支持部３に形成された雌ねじ部３ｂに螺合させることより主軸５全体が、主軸支持部３に対して高さ調節可能に支持される。なおナット９、１０を用いて、所謂ダブルナットとしたのは、主軸支持部３に対して主軸５を高さ調節した後、この位置を確実に保持するためであり、ダブルナットほどではないが所謂シングルナットでもほぼその目的を達することが可能である。
【００１５】
次に架材支持部７のコイル配置空間７ａに対してコイルばね６を挿入する。このコイルばね６は負荷がかからない状態で、このコイル配置空間７ａの全長よりも長い全長を有しており、コイルばね６の一部が架材支持部７から露出した状態で架材支持部７を主軸５の挿入孔５ｂに配置する。なお、図示の構成では架材支持部７に対してピン１１が取り付けられた状態となっているが、このピン１１は当該架材支持部７に対して螺合する等、着脱可能に構成されており、これらのピン１１が架材支持部７から取り外された状態で当該架材支持部７が主軸５に挿入される。
【００１６】
架材支持部７の挿入が完了したならぱ、前記ピン１１を主軸５のピン摺動開口５ｃを介して架材支持部７に取り付ける。ピン１１の取り付けが終了したならば架材支持部を、コイルばね６の弾発力に抗して押し下げ、当該ピン１１が図２（Ａ）の部号１１´で示す位置から、符号１１´´で示すピン摺動開口５ｂの下端部まで下降したならば、次に架材支持部７を回転させ、当該ピンが摺動開口５ｃの水平部である係止部５ｃ´の位置に配置する。これにより、架材支持部７は内部のコイルばね６の弾発力に抗して符号７´で示す最低位置に固定され、床束１の取り付けを待つ状態となる。
【００１７】
次に上記構成の床束の設置状態を説明する。
床束１は上述のように架材支持部７が主軸５側に固定された状態で家屋の床下に配置され、基台部２を土間に接地させることにより所定の位置に立設させる。この状態でナット９、１０を緩め、主軸５の雄ねじ部５ａと主軸支持部３の雌ねじ部３ｂとの螺合状態を調節することにより架材支持部７上端の介在片８が家屋の架材に当接するまで主軸５を上昇させる。
【００１８】
介在片８が架材に当接した状態で更に主軸５を回動させると、今まで主軸５と共に回転していた架材支持部７は架材側に固定され、相対的に主軸５のみが回転する。これにより、架材支持部７のピン１１は前記ピン摺動開口５ｃの水平部から垂直部に移動し、ピンの係止状態が解除される。この結果、床束１の設置後に地盤沈下等によって架材と土間との間の距離か広がった場合でも、コイルばね６の弾発力により架材支持部７は常時架材側に当接し、架材を支持することができる。
【００１９】
図３は本発明の第２の実施例を示す。
本発明によれば、コイルばね６の弾発力により長期間に渡って架材を支持することが可能であるが、架材と地盤との間の距離が開くことは決して正常な事態ではないわけであるから、この距離が一定値以上開いた場合には、本発明に掛かる床束で支持可能であっても、この異常事態を外部に知らせる必要がある。本実施例はこの点に鑑み、架材と地盤との距離が一定値以上開いた場合に警告するよう床束１にセンサを設けている。
【００２０】
図３において、矢印１２はセンサを示す。このセンサ１２はセンサ本体１２ａと、このセンサ本体１２ａに取り付けられた可動ロッド１２ｂとから成っている。センサ本体１２ａは主軸５の所定の位置に取り付けられる。またこの取り付け位置は、例えば早めに異常発見をしたい場合にはピン摺動開口５ｃの垂直部の比較的下側の位置に配置する。なおセンサ本体１２はビス止め等により主軸５に対して固定する。
【００２１】
センサ本体１２ａが所定の位置に取り付けられたならば、可動ロッド１２ｂをほぼ水平にセットし、ピン摺動開口５ｃの垂直部に対してほぼ直交するように配置する。この状態でセンサ１２のセットは完了する。
【００２２】
架材と地盤とが何らかの理由により徐々に離間すると、この状態に対応して主軸５に対して架材支持部７は相対的に上昇する。この上昇に対応して架材支持部７側に固定されているピン１１もピン摺動開口５ｃの垂直部を上昇し、最終的にには可動ロッド１２ｂに接触し、この可動ロッド１２ｂを押し上げようとする。この押上動作は可動ロッド１２ｂの回動動作としてセンサ本体１２に伝達され、センサ本体内のスイッチ回路をＯＮとして外部に警報を発する。
【００２３】
なお、前記センシングシステムは例えば出願人等が先に提案している「木造構造物の接地環境監視改善システム」（特願２０００−２９３３２６号）におけるセンシングシステムの中に組み込むことも可能である。
【００２４】
【発明の効果】
本発明は以上に説明したように、弾性体の弾発力により架材支持部を常時架材に当接することができるので長期間に渡って所謂メンテナンスフリーで架材を強固に支持する事が可能となり、人手と経費を大幅に低減することが可能となる。
【図面の簡単な説明】
【図１】本発明の実施例を示す床束構成部品の組み立て図である。
【図２】（Ａ）は図１に示す床束の側面図、（Ｂ）は同（Ａ）のＡ−Ａ線による断面図である。
【図３】センサの取り付け状態を示す主軸の斜視部分図である。
【符号の説明】
１　床束
２　基台部
３　主軸支持部
３ａ　雌ねじ部
４　固定リング
５　主軸
５ａ　雄ねじ部
５ｂ　挿入孔
５ｃ　ピン摺動開口
６　コイルばね
７　架材支持部
８　介在片
１１　ピン
１２　センサ
１２ａ　センサ本体
１２ｂ　可動ロッド
【図１】
2004100198.tif 000003
【図２】
2004100198.tif 000004
【図３】
2004100198.tif 000005